(57)【要約】【課題】  お尻位置直下域での汚物付着を防止する水洗便器を提供する。【解決手段】  お尻位置直下域１のボウル面に洗浄水を流す洗浄水吐出口３を、便器トラップ入口２よりも前方または後方のボウル面１２の上部に配設する。【選択図】  図１
2008031656.tif 000002
【特許請求の範囲】
【請求項１】
お尻位置直下域のボウル面に洗浄水を流すための洗浄水吐出口が、便器のトラップ入口よりも前方もしくは後方のボウル面上部に配設されていることを特徴とする水洗便器。
【請求項２】
タンクレス便器において、洗浄水吐出口からボウル面に洗浄水を流すための貯水タンクと開閉弁を備えた流路がリム部洗浄水との分岐部の後段に設置されていることを特徴とする請求項１に記載の水洗便器。
【発明の詳細な説明】
【技術分野】
【０００１】
本発明は、ボウル面への汚物付着を防止するようにした水洗便器に関するものである。
【背景技術】
【０００２】
水洗便器において、便器に座った時のお尻の直下域における水深を如何にするかは設計上の重要な要件である。水深を深くする場合には、大便時の汚物が便器のボウル面に付着しにくくなるので、ボウル面を清潔に保つことができる一方で、水深が深いと、大便時に汚物が落下した際、水が飛び跳ねてお尻に付くことがあり、不快感を与えることが懸念されるからである。ただ、水深を浅くすると、たとえば図４の断面図に示したように、水の飛び跳ねは改善されるものの、汚物１１が便器のボウル面１２に付着しやすくなり、特にタンクレス便器においては、洗浄水の給水量に制限があるため、付着した汚物１１を洗い落としきれないという問題が生じかねない。殊に、お尻の肛門位置直下域のボウル面１２Ａは、便器のリム１３からの洗浄水が十分届きにくい位置にあることから、汚物１１が付着したまま残りやすい。
【０００３】
一方、従来より便器ボウル面への大便時の汚物の付着を防止するための方策が検討がされてきている。たとえば、図５のように、大便器のリム１３からボウル面１２へ洗浄水を流下させるリム吐水手段と共に、大便器のボウルやトラップに向けて洗浄水を吐出する補助吐水手段１４を備えた大便器（特許文献１）や、図６のように、大便の落下箇所に相当するボウル面１２を吐出水１５により予め濡らしておくプレ洗浄用ノズル１６を備えた便器（特許文献２）が提案されている。後者の場合には、プレ洗浄用ノズル１６にて便器の大便落下箇所を吐出水１５で予め濡らして洗浄しておくことで、大便の洗浄残しが生じることはないとされている。
【特許文献１】特開２００２−２６６４１１
【特許文献２】特開平５−１４４１
【発明の開示】
【発明が解決しようとする課題】
【０００４】
しかしながら、上記のような従来技術では、大便時のお尻位置直下域のボウル面に付着して残り易い汚物を効果的に洗浄するとのことにおいて改善すべき課題があった。
【０００５】
図５に示した、補助吐水手段１４よりボウル面１２に向かって洗浄水が吐水される水洗便器では、お尻位置直下域の落下汚物が、吐出された洗浄水によりボウル面１２の上奥部に押し上げられてしまい、汚物を洗い落とすことができないという事態が生じかねない。そして、この水洗便器では、サイホン切れ後の戻り水を排出するためのジェット吐水手段の噴出音の低減を目的としていることから、大便時のお尻位置直下のボウル面に付着して残り易い汚物の洗浄を行うことは、実質的には、解決すべき課題としては認識されていない。
【０００６】
また、図６に示した水洗便器では、予め吐出水１５によりボウル面１２を濡らしても、大便時の汚物の付着タイミングによってはボウル面１２が乾燥して濡らし効果が失われてしまうことや、洗浄のための水流圧が期待できないため十分な付着防止効果が得られにくく、さらには、吐出水１５のボウル面からのはね返りにより不快感を与えかねない等の改善すべき課題があった。
【０００７】
本発明は、以上のとおりの背景から、従来の問題点を解消し、便器に付着した汚物の洗浄、特に、お尻位置直下域での汚物付着を防止するのに有効な新しい水洗便器を提供することを課題としている。
【課題を解決するための手段】
【０００８】
本発明の水洗便器は、上記の課題を解決するために、以下のことを特徴としている。
【０００９】
第１：お尻位置直下域のボウル面に洗浄水を流すための洗浄水吐出口が、便器のトラップ入口よりも前方もしくは後方のボウル面上部に配設されている。
【００１０】
第２：水洗便器がタンクレス便器であり、吐出口からボウル面に洗浄水を流すための貯水タンクと開閉弁を備えた流路がリム部洗浄水との分岐部の後段に設置されている。
【発明の効果】
【００１１】
上記第１の発明によれば、お尻位置直下域のボウル面に洗浄水を流すための洗浄水吐出口が便器トラップ入口よりも前方または後方のボウル面上部に配設されているため、大便時にお尻位置直下域のボウル面に落下した汚物を、ボウル面上部の吐出口からの洗浄水の水流圧をもって随時確実に、残りなく洗い落とすことができる。  また、吐出させた洗浄水はボウル面に沿って流下するので、はね返って使用者に不快感を与えることもない。
【００１２】
お尻位置直下域の水深を浅くしても汚物の洗い残しがなく、長年使用しても全く美観が損なわれない水洗便器が提供される。
【００１３】
上記第２の発明によれば、上記の発明の効果に加え、給排水プロセスを効率よく行うことができる。
【発明を実施するための最良の形態】
【００１４】
図１と図２は、本発明の水洗便器の一つの実施形態を示した斜視図と要部断面図である。この実施形態では、汚物が落下するボウル面１２のお尻位置、すなわち肛門の位置もしくはその近傍として定義されるお尻位置直下域１は、水洗便器のトラップ入口２よりも後方（奥側）に設定されている。そして、お尻位置直下域１に洗浄水を流すための洗浄水吐出口３は、トラップ入口２よりも、ボウル面の後方（奥側）上部に配設されている。この場合、洗浄水吐出口３が配設されるボウル面１２のお尻位置直下域１からの高さは、任意に設定することができる。洗浄水吐出口１の形状、数も任意に設定することが可能である。お尻位置直下域１に落下した汚物をトラップ入口２に流し落とすだけの水流圧や水濡れを与えることができるように、洗浄水吐出口３の高さ等の配置位置や、円形、楕円形等の開口形状、さらには配置個数が適宜に設定されてよい。
【００１５】
そして、この実施形態では、図２のように、洗浄水が便器のリム１３から流れ落ちるようにした従来と同様の手段を採用することができる。この場合には洗浄水吐出口３からの洗浄水は、リム１３からの主洗浄水と組合わされて、副流水として機能させることもできる。また、この実施の形態では、図２のように、吐出口３に洗浄水を供給するように、貯留水タンク４が、水洗便器後背部上面の制御部品内臓ブロック５の中に設置されている。洗浄水吐出口３は、その貯留水タンク４と、電磁開閉弁６を介して流路７により連通している。
【００１６】
大便の洗浄において、まず、電磁開閉弁６が開いて、貯留水タンク４に貯留されていた洗浄水が流路７を通って洗浄水吐出口３から流出する。洗浄水吐出口３がトラップ入口２よりも後方のボウル面１２の上部、すなわち、お尻位置直下域１の上奥部に配設されているため、流出した洗浄水は、ボウル面１２上を、お尻位置直下域１に向かって流下する。そして、流下した洗浄水により、お尻位置直下域に落下した汚物が、残り無くトラップ入口２へと洗い落とされる。リム洗浄が行われる場合には、その後、電磁開閉弁６が閉じ、リム通水管を通してリム１３内に洗浄水が供給され、リム１３下面からボウル面１２の全体に洗浄水が流下し、ボウル面１２全体が洗浄される。これと同時に、貯留水タンク４には次回の洗浄のための洗浄水が充填される。
【００１７】
貯留水タンク４に貯留されていた洗浄水による洗浄では、貯留されていた洗浄水を一度に放出させることができる。このため、相当量の洗浄水が一度に汚物に向かって流下する。従って、汚物には相当の水圧がかかり、その結果、汚物は残り無く流し落とされる。もちろん、この場合の洗浄水は数回に分けて放出されるようにしてもよい。
【００１８】
図３は、タンクレス便器の場合の給水制御系の実施形態を示したブロック図である。水道管８がまず給水電磁弁９の一次側に接続され、給水電磁弁９の二次側は二分されてリム通水管１０と貯留水タンク４の入口に接続されている。貯留水タンク４の出口は、電磁制御弁６を通して洗浄水吐出口３に連結されている。
【００１９】
このようにタンクレス便器において、リム洗浄とともに、洗浄水吐出口３からの洗浄水の流下による汚物の効果的な流し落しが可能となる。
【００２０】
図１および図２の実施の形態においては、洗浄水吐出口３は、トラップ入口２の後方（奥側）のボウル面１２にお尻位置直下域１を設けているが、便器の設計、製造においては、お尻位置直下域１は、トラップ入口２よりも前方のボウル面１２に設定されていてもよい。この場合には洗浄水吐出口３は、ボウル面１２のトラップ入口２より前方上部に配設されることになる。
【００２１】
もちろん本発明は、以上の実施形態の例示に限定されることなく、細部について様々な形態が可能とされることは言うまでもない。
【図面の簡単な説明】
【００２２】
【図１】本発明の水洗便器の実施形態を示した斜視図である。
【図２】図１に対応する要部断面図である。
【図３】本発明の水洗便器の給水制御系を例示したブロック図である。
【図４】お尻位置直下域の水深が浅く、汚物が付着してしまう従来の水洗便器を例示した要部断面図である。
【図５】補助吐出手段を有する従来の水洗便器を示した要部断面図である。
【図６】プレ洗浄用ノズルを有する従来の水洗便器を示した要部断面図である。
【符号の説明】
【００２３】
１  お尻位置直下域
２  トラップ入口
３  洗浄水吐出口
４  貯留水タンク
６  電磁開閉弁
７  流路
９  給水電磁弁
１０  リム通水管
１１  汚物
１２  ボウル面
【図１】
2008031656.tif 000003
【図２】
2008031656.tif 000004
【図３】
2008031656.tif 000005
【図４】
2008031656.tif 000006
【図５】
2008031656.tif 000007
【図６】
2008031656.tif 000008